(57)【特許請求の範囲】
【請求項１】
基地局からの複数のスロットからなるフレームを受信する無線移動機で、周辺ゾーン基地局からの受信信号レベルを測定する方法において、
自局宛以外のスロットの信号を受信し、該信号中の情報から次フレーム中に自局宛以外のスロットが存在するか否かを判別する判別ステップ、
前記判別ステップで自局宛以外のスロットが存在すると判別したとき、前記次フレームの自局宛以外のスロット位置で周辺ゾーン基地局からの信号を受信する受信ステップ、および
前記受信ステップで受信した信号の受信レベルを測定する測定ステップを備え、
前記判別ステップで次フレーム中に自局宛以外のスロットが複数存在すると判別したとき、前記受信ステップで、前記次フレームの自局宛以外のスロットのうちの１つのスロット位置のみで周辺ゾーン基地局からの信号を受信することを特徴とする、無線移動機の受信レベル測定方法。
【請求項２】
基地局からの複数のスロットからなるフレームを受信する無線移動機で、周辺ゾーン基地局からの受信信号レベルを測定する方法において、
自局宛以外のスロットの信号を受信し、該信号中の情報から次フレームの前記自局宛以外のスロット相当位置のスロットが自局宛以外か否かを判別する判別ステップ、
前記判別ステップで自局宛以外のスロットであると判別したとき、前記次フレームの自局宛以外のスロット位置で周辺ゾーン基地局からの信号を受信する受信ステップ、および
前記受信ステップで受信した信号の受信レベルを測定する測定ステップを備え、
前記判別ステップで次フレーム中に自局宛以外のスロットが複数存在すると判別したとき、前記受信ステップで、前記次フレームの自局宛以外のスロットのうちの１つのスロット位置のみで周辺ゾーン基地局からの信号を受信することを特徴とする、無線移動機の受信レベル測定方法。
【請求項３】
基地局からの複数のスロットからなるフレームを受信する無線移動機で、周辺ゾーン基地局からの受信信号レベルを測定する方法において、
自局宛以外のスロットの信号を受信し、該信号中の情報から次フレーム中に自局宛以外のスロットが存在するか否かを判別する判別ステップ、
前記判別ステップで自局宛以外のスロットが存在すると判別したとき、前記次フレームの自局宛以外のスロット位置で周辺ゾーン基地局からの信号を受信する受信ステップ、および
前記受信ステップで受信した信号の受信レベルを測定する測定ステップを備え、
前記受信ステップは、前記判別ステップで次フレーム中に自局宛以外のスロットが存在しないと判別し、かつ直前に連続して受信した所定数のフレームにおいて周辺ゾーン基地局からの信号を受信していない場合、前記次フレームのスロットのうち１つのスロット位置で周辺ゾーン基地局からの信号を受信することを特徴とする、無線移動機の受信レベル測定方法。
【請求項４】
基地局からの複数のスロットからなるフレームを受信する無線移動機で、周辺ゾーン基地局からの受信信号レベルを測定する方法において、
自局宛以外のスロットの信号を受信し、該信号中の情報から次フレームの前記自局宛以外のスロット相当位置のスロットが自局宛以外か否かを判別する判別ステップ、
前記判別ステップで自局宛以外のスロットであると判別したとき、前記次フレームの自局宛以外のスロット位置で周辺ゾーン基地局からの信号を受信する受信ステップ、および
前記受信ステップで受信した信号の受信レベルを測定する測定ステップを備え、
前記受信ステップは、前記判別ステップで次フレーム中に自局宛以外のスロットが存在しないと判別し、かつ直前に連続して受信した所定数のフレームにおいて周辺ゾーン基地局からの信号を受信していない場合、前記次フレームのスロットのうち１つのスロット位置で周辺ゾーン基地局からの信号を受信することを特徴とする、無線移動機の受信レベル測定方法。
【発明の詳細な説明】
【０００１】
【発明の属する技術分野】
この発明は無線移動機の受信レベル測定方法に関し、特に無線移動機が送信時に１スロットを使用し、受信時に３スロットを使用して通信を行う無線移動機の受信レベル測定方法に関する。
【０００２】
【従来の技術】
携帯電話機システムにおいて、基地局と無線移動機との通信を行う場合、図８に示すように、現在無線移動機Ｍ１がある基地局Ｂ１のゾーンＡ１内にあるとき、そのゾーンＡ１の周辺基地局のキャリア受信レベルを絶えず測定（以下、周辺ゾーン監視と称する）し、無線移動機がその基地局のゾーン内にいても何らかの障害により受信レベルが低下し、周辺の基地局Ｂ２のキャリア受信レベルの方が高いとき、そちらの基地局Ｂ２の電波を受信できるように制御することが行なわれている。
【０００３】
図９はシングルパケット方式における周辺ゾーン監視用キャリア受信レベル測定のためのスロット例である。ＰＤＣ規格では、図９に示すようにサブフレーム単位内に３スロットが割り当てられており、無線移動機では、先頭の１スロットで受信し（Ｒ）、２つ後のスロットで送信（Ｔ）している。２つ目のスロットは送受信を行わないアイドルスロット（Ｉ）であり、このスロットの期間内で上述の周辺ゾーン監視が行なわれる。この場合、無線移動機の受信回路を受信状態から周辺ゾーン監視のために周波数を切換える制御が行なわれる。このため、無線移動機では周辺ゾーン監視のための専用の受信回路を設ける必要がなくなり、回路規模を小さくできる利点がある。
【０００４】
一方、シングルパケット方式とは別に、フルデュプレクスパケット方式があり、この方式では図１０（ａ）に示すように、２つのサブフレームで１フレームを構成し、サブフレーム内に図１０（ｂ）に示すように３つのスロットが割り当てられている。そして、フルデュプレクスパケット方式では３スロット連続して受信が行なわれる。３スロットの全てが自局宛である場合もあれば、他局宛あるいはアイドルスロットが含まれている場合もある。
【０００５】
【発明が解決しようとする課題】
上述のごとく、フルデュプレクスパケット方式では、図９で説明したシングルパケット方式のように、アイドルスロットがフレーム周期で送られてくるわけではないので、周期的な周辺ゾーン監視を行うことができない。このため、場合によっては基地局との通信が遮断されてしまうおそれがある。もし、周期的に周辺ゾーン監視を行おうとすれば、そのための専用の受信回路を必要とし、回路規模が大きくなってしまう。
【０００６】
それゆえに、この発明の主たる目的は、フルデュプレクスパケット方式で効率良く周辺ゾーン監視を行なうことができ、通信が遮断することのない無線移動機の受信レベル測定方法を提供することである。
【０００７】
【課題を解決するための手段】
この発明は、基地局からの複数のスロットからなるフレームを受信する無線移動機で、周辺ゾーン基地局からの受信信号レベルを測定する方法において、自局宛以外のスロットの信号を受信し、該信号中の情報から次フレーム中に自局宛以外のスロットが存在するか否かを判別する判別ステップと、自局宛以外のスロットが存在すると判別したとき、次フレームの自局宛以外のスロット位置で周辺ゾーン基地局からの信号を受信する受信ステップと、受信した信号の受信レベルを測定する測定ステップを備え、判別ステップで次フレーム中に自局宛以外のスロットが複数存在すると判別したとき、受信ステップで次フレームの自局宛以外のスロットのうちの１つのスロット位置のみで周辺ゾーン基地局からの信号を受信することを特徴とする。
【０００８】
他の発明は、基地局からの複数のスロットからなるフレームを受信する無線移動機で、周辺ゾーン基地局からの受信信号レベルを測定する方法において、自局宛以外のスロットの信号を受信し、該信号中の情報から次フレームの自局宛以外のスロット相当位置のスロットが自局宛以外か否かを判別する判別ステップと、自局宛以外のスロットであると判別したとき、次フレームの自局宛以外のスロット位置で周辺ゾーン基地局からの信号を受信する受信ステップと、受信した信号の受信レベルを測定する測定ステップを備え、判別ステップで次フレーム中に自局宛以外のスロットが複数存在すると判別したとき、受信ステップで次フレームの自局宛以外のスロットのうちの１つのスロット位置のみで周辺ゾーン基地局からの信号を受信することを特徴とする。
他の発明は、基地局からの複数のスロットからなるフレームを受信する無線移動機で、周辺ゾーン基地局からの受信信号レベルを測定する方法において、自局宛以外のスロットの信号を受信し、該信号中の情報から次フレーム中に自局宛以外のスロットが存在するか否かを判別する判別ステップ、判別ステップで自局宛以外のスロットが存在すると判別したとき、次フレームの自局宛以外のスロット位置で周辺ゾーン基地局からの信号を受信する受信ステップ、および受信ステップで受信した信号の受信レベルを測定する測定ステップを備え、受信ステップは、判別ステップで次フレーム中に自局宛以外のスロットが存在しないと判別し、かつ直前に連続して受信した所定数のフレームにおいて周辺ゾーン基地局からの信号を受信していない場合、次フレームのスロットのうち１つのスロット位置で周辺ゾーン基地局からの信号を受信することを特徴とする。
他の発明は、基地局からの複数のスロットからなるフレームを受信する無線移動機で、周辺ゾーン基地局からの受信信号レベルを測定する方法において、自局宛以外のスロットの信号を受信し、該信号中の情報から次フレームの自局宛以外のスロット相当位置のスロットが自局宛以外か否かを判別する判別ステップ、判別ステップで自局宛以外のスロットであると判別したとき、次フレームの自局宛以外のスロット位置で周辺ゾーン基地局からの信号を受信する受信ステップ、および受信ステップで受信した信号の受信レベルを測定する測定ステップを備え、受信ステップは、判別ステップで次フレーム中に自局宛以外のスロットが存在しないと判別し、かつ直前に連続して受信した所定数のフレームにおいて周辺ゾーン基地局からの信号を受信していない場合、次フレームのスロットのうち１つのスロット位置で周辺ゾーン基地局からの信号を受信することを特徴とする。
【００１１】
【発明の実施の形態】
図１はこの発明の一実施形態の無線移動機の概略ブロック図である。図１において、送受信共用アンテナ１はデュプレクサ２を介して受信回路４と送信回路３とに接続されている。送信回路３は送受信用ＰＬＬ回路５で発振される局部発振信号に基づいて、ベースバンド信号処理部６から与えられる符号化されたベースバンド信号を受信周波数とは異なる周波数の送信信号に変換し、デュプレクサ２を介して送受信共用アンテナ１から基地局に向けて送信させる。
【００１２】
受信回路４は送受信用ＰＬＬ回路５で発振される局部発振信号に基づいて送受共用アンテナ１を介して基地局からの信号を受信し、受信信号をベースバンド信号に変換してベースバンド信号処理部６に出力するとともに、受信レベルモニタ部９に出力する。ベースバンド信号処理部６はベースバンド信号を符復号器８に与えて復号させる。符復号器８は送信時には音声などの送信情報を符号化してベースバンド信号処理部６に与える。
【００１３】
送受信用ＰＬＬ回路５は、送信時には局部発振信号を送信回路３に出力し、受信時および周辺ゾーン監視時には局部発振信号を受信回路４に出力するように、タイミング制御部７によって制御される。受信レベルモニタ部９は受信回路４の受信出力に基づいて、周辺基地局のキャリア受信レベルをモニタし、周辺ゾーン監視を行う。
【００１４】
図２はこの発明の一実施形態の動作を説明するためのフローチャートであり、図３はこの発明の一実施形態の動作を説明するためのスロットの配置例図である。図３において、１ｎ（ｎは１〜６）はフレームを示し、それぞれ２０ｎ，２１ｎ，２２ｎで示す３スロットで構成されている。「自」は自局宛スロットを示し、「他」は他局宛スロットを示し、「受」は受信動作を行うスロットを示し、「周」は周辺ゾーン監視を行うスロットを示している。
【００１５】
ひとかたまりのデータをユニットと呼び、１ユニットのデータはフレームの同位置にあるいくつかのスロットに分割されて受信される。たとえば、スロット２０１，２０２，２０３，２０４を受信することで１ユニットのデータが受信される。ＰＤＣ規格では、ユニットの先頭となるスロットに、このユニットがいくつのスロットに分割されて受信されるか、すなわちこの先いくつのフレームの同位置スロットがこのユニットのデータであるかを示す情報が含まれる。したがって、他局宛ユニットの先頭スロットを受信し、そのユニットが複数のスロットで構成されていることを示す情報を得ることによって、他局宛スロットの位置を判別することができる。
【００１６】
図３においては、スロット２１２を受信し、このスロットで始まる他局宛ユニットが４つのスロットで構成されていることを示す情報を得ることによって、スロット２１３，２１４，２１５が他局宛スロットであることを判別する。また，同じくスロット２２３を受信し、このユニットが２つのスロットで構成されている情報を得ることによって、スロット２２４が他局宛スロットであることを判別する。
【００１７】
フレーム１１から通信が始まるとすると、以上のように他局宛スロット２１２，２２６は他局宛であることを判別できないので受信する必要がある。しかし、上記のユニット構成数に関する情報が得られれば、１スロット全てを受信する必要はない。また、上記では、他局宛スロットについて述べたが、アイドルスロットについても同様な情報が含まれている。すなわち、１つのアイドルスロットを受信することによって、同位置スロットがアイドルスロットであるフレームがいくつ続くかを知ることができ、これによりアイドルスロットの位置を判別することができる。
【００１８】
図１に示した受信レベルモニタ部９は、図２に示すステップＳ（図示ではＳと略称する）２１において、３スロットパケットを連続して受信開始したか否かを判別する。受信を開始していれば、ステップＳ２２において、次フレームで受信するスロットがアイドルスロットまたは他局宛のスロットであることを判別すると、そのスロットの情報を取込む必要はないので、タイミング制御部７はステップＳ２において、送受信用ＰＬＬ回路５を制御して周辺ゾーン監視のための局部発振周波数を発振させる。受信回路４はその局部発振周波数に応じて基地局からの信号を受信し、受信レベルモニタ部９はその受信出力に基づいて、周辺基地局のキャリア受信レベルをモニタして周辺ゾーン監視を行う。そして、ステップＳ２５において、次のスロットを受信する。
【００１９】
もし、受信するスロットがアイドルスロットまたは他局宛のスロットであることが判別できないと、そのスロットは当該無線移動機宛のスロットである可能性があるので、ステップＳ２３において、タイミング制御部７は送受信用ＰＬＬ回路５を制御して自局宛スロットを受信するための局部発振信号を発振させる。その後、再度次のスロット受信の動作を行う。
【００２０】
したがって、この実施形態では、図３に示すように、予め判別された他局宛あるいはアイドルスロットが送信されたときには、必ず周辺ゾーン監視を行うことになり、効率良く周辺ゾーン監視を行うことができる。その結果、周辺ゾーンに関する情報の取りこぼしを生じることがないので基地局との通信が遮断されることがなく、しかも周辺ゾーン監視のための専用の受信回路を設ける必要もなくなる。
【００２１】
図４はこの発明の他の実施形態を説明するためのフローチャートであり、図５は同じくスロットの配置例を示す図である。
図５において、前述の図３と同様にして、３ｎ（ｎは１〜６）はフレームを示し、それぞれ３０ｎ，３１ｎ，３２ｎで示す３スロットで構成されており、１ユニットのデータはフレームの同位置にあるスロット４０１，４０２，４０３，４０４に分割されていて、これらのスロット２０１，２０２，２０３，２０４を受信することで１ユニットのデータが受信される。
【００２２】
図２に示した実施形態では、他局宛スロットまたはアイドルスロットであることを判別したときには必ず周辺ゾーン監視を行うようにした。このため、図３のサブフレーム３，４にかけて４回連続して周辺ゾーン監視を行うことも生じ、冗長であり、無駄な動作となり電池の消耗が大きくなってしまう。そこで、この実施形態では、少しでも電池の消費電力を減らすために、１サブフレームで１回のみ周辺ゾーン監視を行うようにしたものである。
【００２３】
すなわち、この実施形態では、ステップＳ４１において３スロットパケットを連続して受信したことを判別し、ステップＳ４２において次フレームで受信するスロットがアイドルスロットまたは他局宛スロットであることを判別したとき、ステップＳ４３において、そのサブフレームの他のスロットで周辺ゾーン監視をしないかを判別する。そのサブフレームの他のスロットで周辺ゾーン監視をしないのであれば、ステップＳ４４において当該スロット位置において周辺ゾーン監視を行い、そのサブフレームの他のスロットで周辺ゾーン監視を行うのであれば、ステップＳ４５において周辺ゾーン監視も受信動作も行わない。ステップＳ４２においてアイドルスロットまたは他局宛スロットであることを判別できなければ、ステップＳ４６において受信動作を行い、ステップＳ４７において次のスロットを受信する。
【００２４】
図５に示した例において、サブフレーム３３，３４，３５の２スロット目のスロット４１３，４１４，４１５はいずれも他局宛スロットになっているが、これはサブフレーム４の２スロット目のスロット４１２に、サブフレーム３３〜サブフレーム３５の２番目のスロット４１３，４１４，４１５が他局宛であることを示す情報が含まれていることより判別できる。また、サブフレーム３３のスロット４２３を受信することで、サブフレーム３４のスロット４２４が他局宛であることを判別できる。このとき、同じサブフレーム３４のスロット４１４が他局宛であることが分かっているので、スロット４１４で周辺ゾーン監視を行う場合、スロット４２４では周辺ゾーン監視を行なわない。
【００２５】
したがって、この実施形態では、１サブフレーム内で自局宛スロット以外が送信されてくると判別したときには必ず１回周辺ゾーン監視を行い、続いて同じサブフレーム内で自局宛スロット以外が送られてきても周辺ゾーン監視を行わないことで、電池の消費電力を削減できる。
【００２６】
図６はこの発明のさらに他の実施形態を説明するためのフローチャートであり、図７は同じくスロットの配置例を示す図である。
【００２７】
図２および図４で説明した実施形態は、他局宛のスロットが必ず送信されてくることが前提となっているが、使用頻度の少ない場所においては自局宛のスロットのみが送信されてくることがある。この場合、自局宛スロットは通常全て受信する必要があるので、周辺ゾーン監視を行うことができない。
【００２８】
サブフレームは図７に示すように７００〜７３５が繰り返し送信されており、これらの３５のサブフレームはスーパフレームと呼ばれている。この実施形態では、たとえば１つのスーパフレーム７００〜７３５において１度も周辺ゾーン監視を行っていない場合、スーパフレームの最後のサブフレーム３５の３つ目のスロットにおいて、自局宛スロットがあっても、そのスロットに関して自局宛の情報を受信することなく、そのスロット期間は周辺ゾーン監視を行う。
【００２９】
図２の説明と同様にして、ステップＳ６１において３スロットパケットの連続受信の開始を検出すると、ステップＳ６２において次フレームのスロットがアイドルスロットまたは他局宛スロットであるかを判別し、そうであれば図４の動作と同様にステップＳ６３，Ｓ６４，Ｓ６５の処理を実行する。判別できなければステップＳ６６において、次フレームをフレーム７３５とするスーパフレーム中の他のスロットにおいて、周辺ゾーン監視がされたか否かを判別する。もし、他のスロットで周辺ゾーン監視がされていれば、その自局宛スロットを受信するために、ステップＳ６８においてタイミング制御部７は送受信用ＰＬＬ回路５を制御して自局宛スロットを受信するための局部発振信号を発振させる。その後、ステップＳ６９において再度次のスロット受信の動作を行う。
【００３０】
スーパフレーム中の他のスロットにおいて１度も周辺ゾーン監視がされていないことを判別すると、ステップＳ６７において次フレームの最後のスロットにおいて周辺ゾーン監視を行うために、タイミング制御部７は送受信用ＰＬＬ回路５を制御して周辺ゾーン監視のための局部発振周波数を発振させる。それにより、受信レベルモニタ部９は受信回路４の受信出力に基づいて周辺ゾーン監視を行う。
【００３１】
この実施形態では、スーパフレーム中の少なくとも１つのスロットの期間に周辺ゾーン監視を行うことができる。自局宛の情報が失われてしまうおそれがあるが、基地局から再度送信されてくる可能性がある。これに対して、スーパフレーム中に１度も周辺ゾーン監視を行わなければ、無線移動機の移動に伴い、基地局との間の通信が途切れてしまうおそれがあり、一部の情報が失われることよりも通信の継続を図る方が、ユーザに対するサービスを図ることができるといえる。
【００３２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３３】
【発明の効果】
以上のように、この発明によれば、、自局宛以外のスロットの信号を受信し、該信号中の情報から次フレーム中に自局宛以外のスロットが存在するか否かを判別し、自局宛以外のスロットが存在すると判別したとき、次フレームの自局宛以外のスロット位置で周辺ゾーン基地局からの信号を受信し、受信した信号の受信レベルを測定するフルデュプレクス方式で効率良く周辺ゾーン監視を行なうことができ、通信が遮断することがない。
【００３４】
また、自局宛以外のスロットの信号を受信し、該信号中の情報から次フレームの自局宛以外のスロット相当位置のスロットが自局宛以外か否かを判別する判別し、自局宛以外のスロットであると判別したとき、次フレームの自局宛以外のスロット位置で周辺ゾーン基地局からの信号を受信し、受信した信号の受信レベルを測定するようにしたので、フルデュプレクス方式で効率良く周辺ゾーン監視を行なうことができ、通信が遮断することがない。
【図面の簡単な説明】
【図１】  この発明の一実施形態の無線移動機の概略ブロック図である。
【図２】  この発明の一実施形態の動作を説明するためのフローチャートである。
【図３】  同じくスロットの配置を示す図である。
【図４】  この発明の他の実施形態を説明するためのフローチャートである
【図５】  同じくスロットの配置例を示す図である。
【図６】  この発明のさらに他の実施形態を示すフローチャートである。
【図７】  同じくスロットの配置例を示す図である。
【図８】  従来の周辺ゾーン監視を行う動作を説明するための図である。
【図９】  シングルパケット方式における周辺ゾーン監視用キャリア受信レベル測定のためのスロット例である。
【図１０】  フルデュプレクスパケット方式におけるスロット例である。
【符号の説明】
１  送受信共用アンテナ、２  デュプレクサ、３  送信回路、４  受信回路、５  送受信用ＰＬＬ回路、６  ベースバンド信号処理部、７  タイミング制御部、８  符復号器、９  受信レベルモニタ部。
【図１】
0003811629.tif 000002
【図２】
0003811629.tif 000003
【図３】
0003811629.tif 000004
【図４】
0003811629.tif 000005
【図５】
0003811629.tif 000006
【図６】
0003811629.tif 000007
【図７】
0003811629.tif 000008
【図８】
0003811629.tif 000009
【図９】
0003811629.tif 000010
【図１０】
0003811629.tif 000011